(57)【特許請求の範囲】
【請求項１】
供給される外部電圧をトリミングし、トリミング電圧を供給ラインを介して供給するトリミング回路であって、
一方の入力端子に基準電圧が入力され、前記外部電圧より前記トリミング電圧を生成して前記供給ラインへ出力する差動増幅器と、
前記供給ラインと接地電位との間に複数の接続点を介して直列接続された複数のトリミング抵抗からなる直列抵抗回路と、
前記接続点の各々と前記差動増幅器の他方の入力端子との間に設けられた複数のオンオフスイッチと、
中間点を介して互いに直列接続された２つの短絡抵抗からなる短絡直列抵抗回路と前記短絡直列抵抗回路の両端に各々接続された２つの短絡オンオフスイッチとからなり前記直列抵抗回路に並列接続された短絡回路と、を有し、
前記短絡抵抗の抵抗比と等しい抵抗比となる前記直列抵抗回路の接続点に前記中間点が直接接続されていることを特徴とするトリミング回路。
【請求項２】
前記直列抵抗回路はＭＯＳトランジスタを介して前記供給ラインに接続され、
前記差動増幅器及び前記ＭＯＳトランジスタには同一の起動信号が供給されることを特徴とする請求項１に記載のトリミング回路。
【請求項３】
指令命令に応じて前記短絡オンオフスイッチをオンオフ駆動する制御部を更に備え、
前記制御部は前記起動信号の供給と同時に前記短絡オンオフスイッチをオン駆動することを特徴とする請求項２に記載のトリミング回路。
【請求項４】
前記トリミング抵抗の各々の抵抗値が前記短絡抵抗の各々の抵抗値よりも大なることを特徴とする請求項３に記載のトリミング回路。
【請求項５】
前記指令命令がワンショットパルス信号であって、前記制御部が前記ワンショットパルス信号を受信すると伴に前記短絡オンオフスイッチをオンオフ駆動することを特徴とする請求項２乃至４いずれか１に記載のトリミング回路。
【請求項６】
供給される外部電圧をトリミングし、トリミング電圧を供給ラインを介して供給するトリミング回路であって、
一方の入力端子に基準電圧が入力され、前記外部電圧より前記トリミング電圧を生成して前記供給ラインへ出力する差動増幅器と、
複数の抵抗が直列に接続された第１の抵抗群及び第２の抵抗群を有し、前記第１の抵抗群及び前記第２の抵抗群が前記供給ラインと接地電位との間に直列に接続された直列抵抗回路と、
前記複数の抵抗間の所定の複数の接続点と前記差動増幅器の他方の入力端子間とに接続される複数のオンオフスイッチからなるスイッチ群と、
第１の短絡スイッチと第１の短絡抵抗とが直列に接続されるとともに、前記第１の抵抗群に並列に接続された第１の短絡回路と、
第２の短絡スイッチと第２の短絡抵抗とが直列に接続されるとともに、前記第２の抵抗群に並列に接続された第２の短絡回路と、を備え、
前記第１の抵抗群、前記第２の抵抗群、前記第１の短絡回路及び前記第２の短絡回路の一端は直接共通接続されていることを特徴とするトリミング回路。
【請求項７】
前記第１の抵抗群の合成抵抗値は、前記第１の短絡抵抗の抵抗値よりも高いことを特徴とする請求項６に記載のトリミング回路。
【発明の詳細な説明】
【技術分野】
【０００１】
本発明は、供給される外部電圧に応じたトリミング電圧を供給するトリミング回路に関する。
【背景技術】
【０００２】
従来から、半導体装置の駆動のために、外部供給電源電圧をそのまま使用することなく、トリミング回路によって生成されたトリミング電圧を使用することによって、トランジスタの耐圧低下防止、ノイズの低減及び消費電力の低減を実施している。
【０００３】
ところが、従来の半導体装置に設けられたトリミング回路においては、製造工程における製造ばらつきのためにメモリに供給されるトリミング電圧がばらついてしまい、半導体装置毎に供給されるトリミング電圧が異なるという問題点があった。
【０００４】
特許文献１には、上述した問題点を解決することが出来るトリミング回路の１例が開示されている。
【０００５】
特許文献１には、差動増幅器の出力と接地電位との間に直列接続されたトリミング抵抗からなる直列抵抗回路と、かかる抵抗の接続点と差動増幅器の一方の入力端子との間に設けられたオンオフスイッチと、駆動するオンオフスイッチを決定するヒューズＲＯＭと、ヒューズＲＯＭからの入力信号を駆動信号としてオンオフスイッチに供給するデコーダと、から構成されるトリミング回路が開示されている。
【特許文献１】特開平３−１７２９０６号公報
【発明の開示】
【発明が解決しようとする課題】
【０００６】
特許文献１に記載されているトリミング回路は、ヒューズＲＯＭからの信号に基づいて生成された駆動信号に応じていずれか１つのオンオフスイッチがオンオフ駆動することにより、直列抵抗回路のフィードバック率が変化し、トリミング電圧を所望の電圧値に設定可能としている。
【０００７】
しかしながら、直列抵抗回路及び差動増幅器には配線抵抗、配線容量又はゲート容量が付加されているため、オンオフスイッチの駆動開始から一定時間において、これらの容量を充電する必要があり、かかる一定時間の充電によって直列抵抗回路及びオンオフスイッチを介して差動増幅器の一方の入力端子に入力される参照電圧の発生が遅延するといる問題点がある。
【０００８】
また、上述した問題点を解決するために、直列抵抗回路の抵抗値を低下させることで充電速度を高速化し参照電圧の発生遅延を防止すると、直列抵抗回路に流れる定常電流が増加して消費電流が増加するという問題点がある。
【０００９】
本発明は、以上の如き事情に鑑みてなされたものであり、トリミング回路における消費電流の増加を防止しつつ参照電圧の発生遅延を防止することが出来るトリミング回路を提供することを目的としている。
【課題を解決するための手段】
【００１０】
上述した課題を解決するために、本発明は、供給される外部電圧をトリミングし、トリミング電圧を供給ラインを介して供給するトリミング回路であって、一方の入力端子に基準電圧が入力され、前記外部電圧より前記トリミング電圧を生成して前記供給ラインへ出力する差動増幅器と、前記供給ラインと接地電位との間に接続点を介して直列接続された複数のトリミング抵抗からなる直列抵抗回路と、前記接続点の各々と前記差動増幅器の他方の入力端子との間に設けられた複数のオンオフスイッチと、中間点を介して互いに直列接続された２つの短絡抵抗からなる短絡直列抵抗回路と前記短絡直列抵抗回路の両端に各々接続された２つの短絡オンオフスイッチとからなり前記直列抵抗回路に並列接続された短絡回路と、を有し、前記短絡抵抗の抵抗比と等しい抵抗比となる前記直列抵抗回路の接続点に前記中間点が直接接続されていることを特徴とするトリミング回路を提供する。
【００１１】
また、指令命令に応じて前記短絡オンオフスイッチを駆動する制御部を更に備えていても良い。
【００１２】
また、前記トリミング抵抗の各々の抵抗値が前記短絡抵抗の各々の抵抗値よりも大なることとしても良い。
【００１３】
また、前記指令命令がワンショットパルス信号であって、前記駆動部が前記ワンショットパルス信号を受信すると伴に前記短絡オンオフスイッチをオンオフ駆動させても良い。
【００１４】
さらに、本発明は、供給される外部電圧をトリミングし、トリミング電圧を供給ラインを介して供給するトリミング回路であって、一方の入力端子に基準電圧が入力され、前記外部電圧より前記トリミング電圧を生成して前記供給ラインへ出力する差動増幅器と、複数の抵抗が直列に接続された第１の抵抗群及び第２の抵抗群を有し、前記第１の抵抗群及び前記第２の抵抗群が前記供給ラインと接地電位との間に直列に接続された直列抵抗回路と、前記複数の抵抗間の所定の複数の接続点と前記差動増幅器の他方の入力端子間とに接続される複数のオンオフスイッチからなるスイッチ群と、第１の短絡スイッチと第１の短絡抵抗とが直列に接続されるとともに、前記第１の抵抗群に並列に接続された第１の短絡回路と、第２の短絡スイッチと第２の短絡抵抗とが直列に接続されるとともに、前記第２の抵抗群に並列に接続された第２の短絡回路と、を備え、前記第１の抵抗群、前記第２の抵抗群、前記第１の短絡回路及び前記第２の短絡回路の一端は直接共通接続されていることを特徴とするトリミング回路を提供する。
【００１５】
また、前記第１の抵抗群の合成抵抗値は、前記第１の短絡抵抗の抵抗値よりも高九手も良い。
【発明の効果】
【００１６】
本発明のトリミング回路においては、２つの短絡抵抗と２つの短絡オンオフスイッチとからなり直列抵抗回路に並列接続された短絡回路を設け、更に、短絡抵抗の抵抗比と等しい抵抗比となる直列抵抗回路の接続点に短絡回路の中間点が接続される構成としたので、トリミング回路における消費電流の増加を防止しつつ参照電圧の発生遅延を防止することが出来る。
【発明を実施するための形態】
【００１７】
以下、本発明の実施例について添付図面を参照しつつ詳細に説明する。
【実施例】
【００１８】
図１は、本発明の実施例としてのＬ−１段階（Ｌは任意の正の偶数）のトリミングを可能とするトリミング回路の回路構成を示している。
【００１９】
図１に示されているように、トリミング回路１０は、基準電圧源ＶREFが負入力端子に接続された差動増幅器１１を含んでいる。差動増幅器１１の出力端子はＰ型ＭＯＳトランジスタ１２ａに接続されている。また、差動増幅器１１には、自身の動作開始を表す起動信号ＳＴが入力される。起動信号ＳＴは、例えば、本発明のトリミング回路を備える半導体装置に所定の電力が供給された場合に起動信号発生源（図示せず）から生成されても良い。Ｐ型ＭＯＳトランジスタ１２ａの一端は外部電源Ｖinに接続され、他端は半導体メモリ等の内部機器（図示せず）のトリミング電圧ＩＶの供給ライン１３に接続されている。従って、差動増幅器１１が動作していない場合には、外部電源電圧が供給ライン１３に加わることとなる。なお、供給ライン１３の接続先は半導体メモリに限られることはなく、外部電源からの外部電源電圧を使用せずに、より安定したトリミング電圧ＩＶを必要とする内部機器であっても良い。
【００２０】
供給ライン１３には、Ｐ型ＭＯＳトランジスタ１２ｂを介して直列接続されたＬ個（Ｌは任意の正の偶数）のトリミング抵抗Ｒ1〜ＲLからなる直列抵抗回路１４が接続され、供給ライン１３に接続された一端側（すなわち、トリミング抵抗Ｒ1側）とは異なる他端側（すなわち、トリミング抵抗ＲL側）には接地電位が接続されている。トリミング抵抗Ｒ1〜ＲL/2までを第１の抵抗群１００とする。また、トリミング抵抗Ｒ(L/2)+1〜ＲLまでを第２の抵抗群２００とする。Ｐ型ＭＯＳトランジスタ１２ｂは、インバータ１５を介して起動信号ＳＴが入力される。従って、トリミング回路１０に起動信号ＳＴが入力されることによってトリミングが開始されることとなる。
【００２１】
トリミング抵抗Ｒ1〜ＲLの各接続点Ｔ1〜ＴL-1は、オンオフスイッチＳ1〜ＳL-1の一端に接続されている。オンオフスイッチＳ1〜ＳL-1の他端は、差動増幅器１１の正入力端子に接続されている。また、オンオフスイッチＳ1〜ＳL-1には、デコーダ１６が接続されている。オンオフスイッチＳ1〜ＳL-1は、デコーダ１６に接続されたヒューズ回路１７からのヒューズデータ信号に応じて生成されたスイッチ駆動信号に対応した１つのオンオフスイッチのみが駆動することとなる。例えば、オンオフスイッチＳ1〜ＳL-1は、ＰＮ接合型のトランスファーゲートである。また、いずれか１つのオンオフスイッチをオン状態にすることが出来れば、その他のスイッチング装置であっても良い。なお、オンオフスイッチＳ1〜ＳL-1をスイッチ群３００とする。
【００２２】
ここで、トリミング抵抗Ｒ1の抵抗値はｒ1、トリミング抵抗ＲLの抵抗値はｒ2、その他のトリミング抵抗Ｒ2〜ＲL-1は抵抗値ｒ3とする。また、抵抗値ｒ1、ｒ2は、直列抵抗回路１４の中間点（すなわち、接続点ＴL/2）に接続されたオンオフスイッチ（すなわち、オンオフスイッチＳL/2）をオンにすることによって所望のトリミング電圧ＩＶに近い値を得ることが出来るように設定することが望ましい。かかる抵抗値ｒ1、ｒ2の設定によって、トリミング電圧ＩＶをマイナス側及びプラス側の両側に対して十分にトリミングをすることが可能となるからである。
【００２３】
また、直列抵抗回路１４の両端には、短絡回路１８が並列接続されている。短絡回路１８は、中間点Ｔsを介して直列接続された短絡抵抗Ｒs1、Ｒs2からなる短絡直列抵抗回路を含んでいる。更に、短絡回路１８は、短絡抵抗Ｒs1、Ｒs2の両端の各々に短絡オンオフスイッチＳs1、Ｓs2が接続されている。短絡抵抗Ｒs1と短絡オンオフスイッチＳs1戸からなる回路を第１の短絡回路４００とする。また、短絡抵抗Ｒs2と短絡オンオフスイッチＳs2とからなる回路を第２の短絡回路５００とする。短絡オンオフスイッチＳs1、Ｓs2には、短絡回路制御部１９が接続されている。短絡回路制御部１９は、起動信号ＳＴに基づいて生成された短絡スイッチ駆動信号ＳＰに応じて短絡オンオフスイッチＳs1、Ｓs2を所定期間のみ同時にオン状態にする。例えば、短絡回路制御部１９は、起動信号ＳＴをトリガーとして発生させるワンショットパルスに応じて短絡回路１８を制御しても良い。なお、短絡スイッチ駆動信号ＳＰは、上述した起動信号発生源（図示せず）によって生成されても良い。
【００２４】
短絡回路１８の中間点Ｔsは、短絡抵抗Ｒs1、Ｒs2の抵抗比と等しくなる直列抵抗回路１４の接続点Ｔ1〜ＴL-1のいずれか１点に接続されている。図１においては、中間点Ｔsが接続点ＴL/2に接続されていることから、短絡抵抗Ｒs1、Ｒs2の抵抗比とトリミング抵抗Ｒ1〜ＲLの抵抗比は、抵抗Ｒs1、Ｒs2の抵抗値をそれぞれｒs1、ｒs2とすると数式１によって表される。
【００２５】
【数１】
0004498400.tif 000002
【００２６】
数式１を満たすことによって、短絡オンオフスイッチＳs1、Ｓs2がオン状態からオフ状態に移行しても、差動増幅器１１の正入力端子に入力される参照電圧ＶＲは変動することがなくなる。
【００２７】
上述した構成によって、短絡オンオフスイッチＳs1、Ｓs2がオフ状態からオン状態に移行することによって、短絡オンオフ抵抗Ｒs1がトリミング抵抗Ｒ1〜ＲL/2によって構成される直列回路に並列接続された接続状態になる。従って、供給ライン１３からオン状態のオンオフスイッチまでの抵抗値が低下することとなる。例えば、オンオフスイッチＳL/2のみがオン状態の抵抗値ｒaは、数式２によって表される。
【００２８】
【数２】
0004498400.tif 000003
【００２９】
また、オンオフスイッチＳL/2及び短絡オンオフスイッチＳs1、Ｓs2がオン状態の抵抗値ｒbは、数式３によって表される。
【００３０】
【数３】
0004498400.tif 000004
【００３１】
ここで、数式４が成り立つ場合（すなわち、短絡抵抗Ｒs1の抵抗値がトリミング抵抗Ｒ1〜ＲL/2の合成抵抗値の１０分の１である場合）には短絡オンオフスイッチＳs1、Ｓs2がオン状態に移行すると供給ライン１３からオン状態のオンオフスイッチまでの抵抗値は１１分の１になる。
【００３２】
【数４】
0004498400.tif 000005
【００３３】
従って、短絡オンオフスイッチＳs1、Ｓs2がオン状態の所定期間においては、オフ状態よりも１１倍の速度で抵抗容量及びゲート容量等の容量に電圧を充電することが出来ることとなる。
【００３４】
なお、Ｌが正の奇数の場合には中間点の付近（すなわち、Ｔ(L/2)±0.5）に接続されることとなり、正の偶数の場合と同様に短絡オンオフスイッチＳs1、Ｓs2がオン状態の所定期間において、供給ライン１３からオン状態のオンオフスイッチまでの抵抗値は低下することとなる。
【００３５】
なお、差動増幅器１１の接続（すなわち、破線２の部分）は図２に示す例であっても良い。図２で示されているように、基準電圧源ＶREFが差動増幅器１１の正入力端子に接続され、スイッチ群３００が差動増幅器１１の負入力端子に接続されている。また、外部電源Ｖin及び接地電位が差動増幅器１１の電源端子に接続されている。差動増幅器１１の出力は、Ｐ型ＭＯＳトランジスタ１２ａを介することなく供給ライン１３と接続されている。
【００３６】
図３は、４段階のトリミングを可能とするトリミング回路の回路構成を示している。
先ず、図１より更に具体的に表した部分について説明する。また、図１と同様の部分については、説明を省略し且つ同じ符号を使用する。
図３に示されているように、ヒューズ回路１７は、ヒューズｆ１〜ｆ４を備えている。ヒューズｆ１、ｆ２は中間点Ｔfを介して直列接続されている。ヒューズｆ１には抵抗Ｒfを介して外部電源Ｖinが接続され、ヒューズｆ２には接地電位が接続されている。ヒューズｆ１、ｆ２の中間点Ｔfは、インバータ２０ａに接続されている。更に、インバータ２０ａは、インバータ２０ｂに接続されている。ヒューズｆ３、ｆ４についても外部電源Ｖin、接地電位及びインバータ２０ｃ、２０ｄによってヒューズｆ１、ｆ２と同様の接続構成となっている。なお、図示されていないが、インバータ２０ａ〜２０ｄの電源は、外部電源Ｖinとなる。
【００３７】
デコーダ１６は、インバータ２０ａ〜２０ｄと接続されたＮＡＮＤゲート２１ａ〜２１ｄを含んでいる。具体的には、ＮＡＮＤゲート２１ａがインバータ２０ｂ、２０ｄと、ＮＡＮＤゲート２１ｂがインバータ２０ａ、２０ｄと、ＮＡＮＤゲート２１ｃがインバータ２０ｂ、２０ｃと、ＮＡＮＤゲート２１ｄがインバータ２０ａ、２０ｃと接続されている。ＮＡＮＤゲート２１ａ〜２１ｄ各々は、対応するインバータ２２ａ〜２２ｄに接続されている。更に、ＮＡＮＤゲート２１ａ〜２１ｄ及びインバータ２２ａ〜２２ｄはオンオフスイッチＳ1〜Ｓ4に接続されている。具体的には、インバータ２１ａ及びＮＡＮＤゲート２２ａがオンオフスイッチＳ1と、インバータ２１ｂ及びＮＡＮＤゲート２２ｂがオンオフスイッチＳ2と、インバータ２１ｃ及びＮＡＮＤゲート２２ｃがオンオフスイッチＳ3と、インバータ２１ｄ及びＮＡＮＤゲート２２ｄがオンオフスイッチＳ4と接続されている。
【００３８】
上述した構成から、ヒューズｆ１〜ｆ４の切断前（すなわち、トリミング前）においては、オンオフスイッチＳ4が常にオン状態となっている。ヒューズｆ１〜ｆ４のいずれかを切断することによってオンオフスイッチＳ1〜Ｓ4のいずれか１つがオン状態となる。
【００３９】
次に、図４のフローチャートを参照して、図３に示されたトリミング回路１０による所望のトリミング電圧ＩＶの供給までの動作を説明する。
【００４０】
本発明のトリミング回路１０を備える半導体装置に所定の電力を供給することによって、起動信号ＳＴ及び起動信号ＳＴに応じた短絡スイッチ駆動信号ＳＰが生成される（ステップＳ１）。起動信号ＳＴに応じてトリミング回路１０が起動し、ヒューズデータ信号に応じて生成されたスイッチ駆動信号に対応した１つのオンオフスイッチ及び短絡スイッチ駆動信号ＳＰに応じて短絡オンオフスイッチＳs1、Ｓs2がオン状態へ移行する。（ステップＳ２）。ここでは、いずれのヒューズも切断されていないため、オンオフスイッチＳ4がオン状態へ移行することとする。オンオフスイッチＳ4がオン状態へ移行することとすることで、参照電圧ＶＲが差動増幅器１１に入力され、トリミング電圧ＩＶが発生する。所定期間経過後、短絡オンオフスイッチＳs1、Ｓs2がオフ状態へ移行する。（ステップＳ３）。
【００４１】
次に、作業者はトリミング電圧ＩＶをテスターによって測定する（ステップＳ４）。その後、半導体装置への電力供給を停止し、トリミング回路１０の駆動を停止させる（ステップＳ５）。測定結果から所望のトリミング電圧ＩＶを得ることができる切断するヒューズを決定し、かかるヒューズを切断する（ステップＳ６）。
【００４２】
例えば、図５に示されているような測定及び計算結果が得られた場合における、切断ヒューズの決定方法を説明する。図５に示されているように、グラフの横軸は基準電圧ＶREF又は参照電圧ＶＲを示し、グラフの縦軸はトリミング電圧ＩＶを示している。また、ステップＳ１のトリミング電圧ＩＶの測定によって得られた測定値に対応する計算によって算出された基準電圧ＶREFとトリミング電圧ＩＶの測定値との関係が直線Ｓ4として表されている。更に、直線Ｓ4を基準として計算により算出されたその他のオンオフスイッチをオンにした場合におけるトリミング電圧ＩＶと基準電圧の関係を直線Ｓ2、Ｓ3、Ｓ4として表されている。内部機器に供給する所望のトリミング電圧はあらかじめ決定されているので、かかる所望のトリミング電圧値と計算によって算出された基準電圧ＶREFとの図５上の交点Ｐを通過する直線（図５においては直線Ｓ2）に対応するオンオフスイッチ（図５においてはオンオフスイッチＳ2）をオン状態にするヒューズを切断することとなる。例えば、オンオフスイッチＳ2をオン状態にするためには、ヒューズｆ３及びヒューズｆ４を切断することとなる。以下、ヒューズｆ３及びヒューズｆ４を切断した場合としてフローチャートの説明をする。
【００４３】
再び、半導体装置に所定の電力を供給することによって、起動信号ＳＴ及び起動信号ＳＴに応じた短絡スイッチ駆動信号ＳＰが生成される（ステップＳ７）。起動信号ＳＴに応じてトリミング回路１０が起動し、ヒューズｆ３及びヒューズｆ４の切断に対応するヒューズデータ信号に応じて生成されたスイッチ駆動信号に対応してオンオフスイッチＳ2及び短絡スイッチ駆動信号ＳＰに応じて短絡オンオフスイッチＳs1、Ｓs2がオン状態へ移行する。（ステップＳ８）。オンオフスイッチＳ2がオン状態へ移行することとすることで、参照電圧ＶＲが差動増幅器１１に入力され、所望のトリミング電圧ＩＶが発生する。所定期間経過後、短絡オンオフスイッチＳs1、Ｓs2がオフ状態へ移行する。（ステップＳ９）。短絡オンオフスイッチＳs1、Ｓs2がオフ状態へ移行した後も、トリミング電圧ＩＶは変動することなく、所望のトリミング電圧ＩＶが引き続き半導体メモリ等の内部機器に供給されることとなる。
【００４４】
図４における起動信号ＳＴの生成、短絡スイッチ駆動信号ＳＰの生成、トリミング回路１０の状態の変化及び消費電流の変化を図６を参照しつつ説明する。
【００４５】
図６に示されているように、半導体装置への所定の電力供給に伴い、起動信号ＳＴが起動信号発生源によって生成される。また、起動信号ＳＴに応じて、パルス幅Ｔｒのワンショットパルスである短絡スイッチ駆動信号ＳＰが生成さる。かかるワンショットパルスのパルス幅Ｔｒが抵抗容量及びゲート容量等の容量の充電期間となり、所定期間（すなわち、パルス幅Ｔｒ）経過後は容量の充電は不要となる。また、かかる充電期間開始と同時に消費電流が発生することとなる。充電期間中においてはかかる消費電流の変化はなく、充電期間終了と同時に消費電流が減少する。トリミング回路１０の駆動中は充電期間より消費電流が低下することとなる。所定期間（すなわち、パルス幅Ｔｒ）の経過後にトリミング電圧ＩＶを測定し、その後、半導体装置への電力供給を停止してヒューズの切断を行なう。半導体装置への電力供給の停止中は、トリミング回路１０が起動していないため、消費電流は発生しない。
【００４６】
再度、半導体装置に所定の電力を供給する場合においても、ヒューズ切断前と同様に、起動信号ＳＴ及び短絡スイッチ駆動信号ＳＰが生成され、消費電流が増加及び減少が起こり、所定期間（すなわち、パルス幅Ｔｒ）が抵抗容量及びゲート容量等の容量の充電期間となる。なお、オン状態のオンオフスイッチに応じて、ヒューズ切断前後における消費電流に差が生じることもある。
【００４７】
以上のように、本実施例によるトリミング回路によれば、２つの短絡抵抗と２つの短絡オンオフスイッチとからなり直列抵抗回路に並列接続された短絡回路を設け、更に、短絡抵抗の抵抗比と等しい抵抗比となる直列抵抗回路の接続点に短絡回路の中間点が接続される構成によって所定期間のみ供給ラインから差動増幅器までの抵抗値を低下することが出来る故、トリミング回路における消費電流の増加を防止しつつ参照電圧の発生遅延を防止することが出来る。
【図面の簡単な説明】
【００４８】
【図１】本発明の実施例としてのＬ−１段階のトリミング可能なトリミング回路の回路図である。
【図２】本発明の実施例の一部である差動増幅器の他の例の回路図である。
【図３】本発明の実施例としての４段階のトリミング可能なトリミング回路の回路図である。
【図４】図３のトリミング回路のトリミング電圧供給における動作を示すフローチャートである。
【図５】オンオフスイッチ毎のトリミング電圧ＩＶと参照電圧ＶREFとの関係を示す図である。
【図６】図３のトリミング回路のタイムチャートを示した図である。
【符号の説明】
【００４９】
１０  トリミング回路
１３  供給ライン
１４  直列抵抗回路
１６  デコーダ
１７  ヒューズ回路
１８    短絡回路
１９    短絡回路制御部
Ｒ1〜ＲL  トリミング抵抗
Ｒs1、Ｒs2  短絡抵抗
Ｓ1〜ＳL-1  オンオフスイッチ
Ｓs1、Ｓs2  短絡オンオフスイッチ
【図１】
0004498400.tif 000006
【図２】
0004498400.tif 000007
【図３】
0004498400.tif 000008
【図４】
0004498400.tif 000009
【図５】
0004498400.tif 000010
【図６】
0004498400.tif 000011